(57)【特許請求の範囲】
【請求項１】
複数の試料成分を光学的に電気泳動分析する電気泳動分析装置において、
縦板部と平面板部とから構成される台座を有し、
シースフローセルを具備するシースフローセル台、該シースフローセルに組み合わされるキャピラリーおよび該キャピラリーの温度コントロールを行うホットプレート並びに前記シースフローセルにレーザ光を照射するレーザ照射口部材から構成される一群を前記台座の縦板部に装着し、
バッファ液タンクおよび試料を収容するサンプルトレイをテーブル上に載置し、該テーブルを前記台座の平面板部にスライド可能に設置し、かつ
前述のように装置された前記一群およびテーブルが前記台座と共に分析装置本体に形成された試料室に配置される
ことを特徴とする電気泳動分析装置。
【請求項２】
前記請求項１記載の電気泳動分析装置において、
前記シースフローセルを具備するシースフローセル台は縦板部に装着され、
前記キャピラリーは前記シースフローセル台の下方に装着され、
前記ホットプレートは前記キャピラリーの前部に装着され、
前記レーザ照射口部材は前記シースフローセルの片側に装着され、
前記レーザ照射口部材のレーザ光は前記シースフローセル内に照射され、
該レーザ光の照射によって前記シースフローセル内で発生した蛍光は、前記シースフローセルの後方に配置される光センサで検出される
ことを特徴とする電気泳動分析装置。
【発明の詳細な説明】
【０００１】
【発明の属する技術分野】
本発明は、電気泳動分析装置および分析方法に関する。本発明は特に、複数の毛細管または微細流路を泳動媒体としてＤＮＡ（デオキシリボ核酸）などの生体試料を分析するＤＮＡシーケンサ（ＤＮＡ塩基配列解析装置）に用いるに好適な電気泳動装置および分析方法に関する。
【０００２】
【従来の技術】
電気泳動を基盤にしたＤＮＡ分析技術、特に、ＤＮＡシーケンサ（ＤＮＡ塩基配列解析装置）が、広く普及してきている。分析ニーズの高まりに応じて、分析処理量を向上させる必要が増加している。分析処理量を向上させる一つの方法として、電気泳動媒体の集積化が上げられる。
【０００３】
特開平6−138037 号公報には、電源によって電圧を印加された陰極電極槽と陽極電極槽の間に設けた試料分離部がキャピラリーからなる泳動路である電気泳動装置であって、一端がそれぞれ前記陰極電極槽または前記陽極電極槽に接続されたキャピラリー対の他端を光学セル中にその軸をほぼ一致させ一定の間隙を保持して対向させて配置して前記光学セルを貫通する泳動路と、前記光学セルの外部の設けられたシース液容器と、該シース液容器から前記光学セル内にシース液を注入して流し試料分離部である上流側の泳動部である泳動分離用キャピラリー端から泳動される試料をシースフロー状態にして対向するキャピラリーに導くシースフロー形成手段と、前記間隙部を光学検出部とし該光学検出部に光源から光照射して試料の検出を行う光検出手段を有し、複数のキャピラリー対によって形成される複数の光学検出部を前記光学セル中に配置し、前記複数の光学検出部が互いに電解液を介して連結し、前記複数の光学検出部を一直線上に位置するように前記複数のキャピラリー対を整列して配置し、全ての光学検出部を同時に照射するように励起光を前記直線に沿って照射して前記各キャピラリーを泳動流出する試料から発せられる蛍光を同時に検出する電気泳動装置が記載されている。
【０００４】
また、第２の方式としては、米国特許第5192412 号明細書や特開平5−93711号公報に記載のように、ガラス板表面に微細な溝を形成させ泳動路として利用するマルチチャンネル方式も提案されている。この方式においても、多数の試料を同時に、かつ高速に分離分析できるようになる。
【０００５】
上述したようなマルチチャンネル方式においては、最初に、試料容器に収容された試料中に、電極とキャピラリーの一端を挿入してから、キャピラリー両端に電圧を印加し、電気的に試料を移動させてキャピラリー内に導入し、次に、バッファ槽のバッファ液中に、電極とキャピラリーの一端を挿入してから、キャピラリー両端に電圧を印加し、電気泳動により試料を分離する。
【０００６】
【発明が解決しようとする課題】
分析処理量を向上させるために同時に分析する試料の数を数十個にすると、電極やキャピラリーを挿入する作業が困難なものとなる。
【０００７】
本発明は、マルチキャピラリー方式を用いるに当って、装置の構造・構成をコンパクトにして取扱い易いものになし、分析作業の容易な電気泳動分析装置および使用し易くした分析方法を提供することを目的とする。
【０００８】
【課題を解決するための手段】
本発明は、キャピラリーとこれに組み合わさせるシースフローセルを縦方向配列とし、試料を載置するサンプルプレートを平面方向配列とし、両配列の交わる線にバッファ液タンクを配置し、該バッファ液タンク内の液を介して双方を接合するようにしたことを特徴とする。二つの配列を構成するそれぞれの装置群は、縦板部と平面板部とからなる台座上に載置することによって、装置を簡便に組み立てて使用に供することができるようにした。また、本発明は、使用頻度の高い装置と使用頻度の低い装置とでは台座上への載置の仕方を区別し、使い頻度の高い装置、例えばキャピラリーとシースフローセルの組み合せあるいはサンプルプレートは台座に固着することなく載置するものとした。
【０００９】
また、本発明は、このような装置構造を採用することによって、既存のピペットを変更することなしに改良されたピペッティング方法を採用し得るものとした。
【００１０】
本発明は具体的には、次に掲げる装置および方法を提供する。
【００１１】
本発明は、複数の試料成分を光学的に電気泳動分析する電気泳動分析装置において、縦板部と平面板部とから構成される台座を有し、シースフローセルを具備するシースフローセル台、該シースフローセルに組み合わされるキャピラリーおよび該キャピラリーの温度コントロールを行うホットプレート並びに前記シースフローセルにレーザ光を照射するレーザ照射口部材から構成される一群を前記台座の縦板部に装着し、バッファ液タンクおよび試料を収容するサンプルトレイをテーブル上に載置し、該テーブルを前記台座の平面板部に装置し、かつ前述のように装置された前記一群およびテーブルが前記台座と共に分析装置本体に形成された試料室に配置される電気泳動分析装置を提供する。
【００１２】
本発明は、複数の試料成分を光学的に電気泳動分析する電気泳動分析装置において、シースフローセル、該シースフローセルに組み合わされるキャピラリーおよび該キャピラリーの温度コントロールを行うホットプレートのユニット並びに前記シースフローセルにレーザ光を照射するレーザ照射口部材から構成される一群を縦面上に配設し、並列した試料容器を具備するサンプルトレイを複数個平面上に配設し、前記双方を配設する二つの面が交わる線にバッファ液タンクを配設し、前記キャピラリーの先端を前記バッファ液タンク内の液に浸した電気泳動分析装置を提供する。
【００１３】
本発明は、複数の試料成分を光学的に電気泳動分析する電気泳動分析装置において、縦板部と平面板部とから構成される台座を有し、該台座の縦板部にレーザ光を照射するレーザ照射口部材および温度コントロールを行うホットプレートを固着し、シースフローセルおよびキャピラリーの組み合せ体を、レーザ光がシースフローセルを照射し、ホットプレートが前記キャピラリーを加温するようにして、前記縦板部に固着することなく載置し、複数のサンプルトレイをトレイホルダ上に固着し、該トレイホルダおよびバッファ液タンクをテーブル上に固着することなく載置し、かつ前記テーブルを分析装置本体に形成された試料室の保持部に固着することなくスライドして載置可能にした電気泳動分析装置を提供する。
【００１４】
本発明は、複数の試料成分を光学的に電気泳動分析する電気泳動分析装置において、レーザ光を発するレーザを収容する箱体、試料を収納する試料収納室部および試料の分析を行う試料室部から構成される箱状のＤＮＡシーケンサ本体、および画面入出力装置を含んで構成され、前記試料室部には、シースフローセル、該シースフローセルに組み合わされたキャピラリーおよび該キャピラリーの温度コントロールを行うホットプレートとのユニット並びに前記シースフローセルにレーザ光を照射するレーザ照射口部から構成され、縦方向に配設される一群と、バッファ液タンクおよびＤＮＡ試料を収容するサンプルトレイから構成され、横方向に配設される他の一群とが配設され、前記試料室部の開閉扉が縦方向にスライド可能に配設されている電気泳動分析装置を提供する。
【００１５】
本発明は、複数の試料成分を光学的に電気泳動分析する電気泳動分析方法において、マイクロタイタープレートを用いて試料の準備を行い、隣合う試料容器間のピッチＰを前記マイクロタイタープレートのピッチの整数分の１にしたサンプルトレイを準備し、前記マイクロタイタープレートから準備された試料をピペッティングするピペットのピッチを、該マイクロタイタープレートのピペットと等しくし、該マイクロタイタープレートから前記試料容器に試料をピペッティングする際、整数分の１の分母の数を置いて試料を分けてピペッティングし、および前記サンプルトレイに並行で、縦方向に配設したシースフローセルと該シースフローセルに組み合わされるキャピラリーに前記ピペッティングした試料を吸入することによって分析を行う電気泳動分析方法を提供する。
【００１６】
【発明の実施の形態】
以下、本発明に係る一実施例を図面に基づいて説明する。
【００１７】
図１は、全体構成概略を示す。図において、ＤＮＡシーケンサ装置は、レーザ部１，ＤＮＡシーケンサ本体部２，画面入出力装置３から構成され、画面入力出力装置３はパソコン４およびキーボード５からなる。これらの装置は台６上に配設される。
【００１８】
図２は、レーザ部１および本体部２の概略構成を示す。レーザ部１は、レーザ光を発する２つのレーザ１１，１２、それらからのレーザ光を９０゜方向転換する回転式ミラー１３を有する箱体１４からなる。本体部２は、試料を収納し、その移動を行う試料収納室部１５および試料の分析を行う試料室部１６から構成される。これらは、箱状をなし、ＤＮＡシーケンサ本体となる。試料室部１６を密閉するために、縦方向にスライド可能にして試料扉１７が設けてある。また、試料収納室部１５には廃液扉１８が設けてある。
【００１９】
図３は、ＤＮＡシーケンサ本体の試料扉１７が開放されている場合の配置構成を示し、図４は試料扉１７が閉鎖されている場合の配置構成を示す。図３にあっては、試料室部１６内に配設されたホットプレート９４，サンプルトレイホルダ３４およびシース液の廃液貯めとしてのドレイン瓶６９および安全ロック解除ボタン１９が見える。これらの構成・配置の詳細については後述する。
【００２０】
図５は、全体構成を示す原理説明図である。
【００２１】
テーブル３０の上には、バッファ(電解液)を収容した泳動バッファ槽としてのバッファ液タンク３２が配置されている。バッファ液タンク３２の中には、白金電極３３が張架されており、白金電極３３は、バッファと接触している。また、テーブル１０の上には、サンプルトレイホルダ３４を介して、３個のサンプルトレイ１００Ａ,１００Ｂ,１００Ｃが配置されている。サンプルトレイ１００Ａは、図２を用いて後述するように、４８個の試料容器を備えている。サンプルトレイ１００Ａは、止めネジＳ１，Ｓ２によってサンプルトレイホルダ３４に固定されており、サンプルトレイホルダ３４から取り外し可能である。サンプルトレイ１００Ａの底部は、ＳＵＳのような導電性金属で構成されており、ＳＵＳのような導電性金属で構成されてサンプルトレイホルダ３４と電気的に導通している。サンプルトレイ１００Ｂ，１００Ｃも同様にして、４８個の試料容器を備えており、サンプルトレイ１００Ｂ，１００Ｃの底部は、サンプルトレイホルダ３４と電気的に導通している。
【００２２】
４８本のキャピラリー４０が並列的に配置されており、その内部には、分離用のゲルマトリックスが充填されている。キャピラリー４０の下端側はキャピラリー押さえ４２により固定され、その下端はバッファ液タンク３３内のバッファに挿入されている。キャピラリー４０の上端側は、キャピラリー押さえ４４により固定され、その上端は、カプラ４６に接続固定されている。
【００２３】
カプラ４６は、接地側の電極プラグ５２に接続され、電極プラグ５２は、高電圧電源５０の接地極に接続されている。また、サンプルトレイホルダ３４は、高圧側の電極プラグ５４と接続され、バッファ液タンク３２の白金電極３３は、高圧側の電極プラグ５６と接続され、電極プラグ５４，５６は、高電圧電源５０の高圧（−）極に接続されている。
【００２４】
カプラ４６は、シースフローセル６０に接続されている。シースフローセル６０には、シース液タンク６２の中に保持されたシース液６４が、重力によって導入される。キャピラリー４０の中で泳動分離され、キャピラリー４０の泳動終端部から流出する分離された試料は、シース液によって各キャピラリーの試料成分が互いに分離されたまま上部側に運ばれる。
【００２５】
シースフローセル６０の側面方向（図示Ｙ方向）からは、レーザ１１，１２から出射さたレーザ光が、レンズ７２によって平行光束にコリメートされた上で、照射され、シースフローセル６０中の分離された試料を励起する。レーザ１１，１２とレンズ７２の間には、シャッタ７４が設けられており、試料の励起を選択的に行えるようになっている。レーザ光照射によって発生した蛍光は、Ｙ軸方向に直交するＸ軸方向から取り出され、集光レンズ８２によって集光され、フィルタ８４によって検出すべき波長の光が選択され、さらに、結像レンズ８６によって、２次元ＣＣＤセンサ等の光センサ８８上に結像する。光センサ８８によって検出された信号は、信号処理装置である画面処理装置３に送られ、信号処理され、蛍光の波長により末端塩基の種類を識別し、計測信号をもとに核酸試料の塩基配列が解析される。
【００２６】
ＤＮＡ（デオキシリボ核酸）の塩基配列の決定では、一般的に４波長の計測が行われる。各極大波長が、それぞれ、ＤＮＡ断片の末端の塩基の種類に対応するように、予め反応操作で蛍光色素が結合される。
【００２７】
シースフローセル６０の上端部には、ドレインアダプタ６６が取り付けられており、キャピラリー４０からシースフローセル６０内に流入した試料を、廃液として、ドレインチューブ６７を通って、ドレイン瓶６９に排出する。ドレインチューブ６７の途中には、オリフィスや複数本のキャピラリーから構成されるフローコントローラ６８が設けられており、ドレインチューブ６７の流路抵抗を一定として、流量を制御している。
【００２８】
次に、本実施形態による電気泳動分析装置の全体的な動作について説明する。
【００２９】
予めサンプルトレイ１００Ａ，１００Ｂ，１００Ｃのそれぞれ４８個の試料容器には、所定量の分析試料が分注されている。試料の収容されたサンプルトレイ１００Ａ，１００Ｂ，１００Ｃは、サンプルトレイホルダ３４に止めネジＳ１，Ｓ２により固定される。
【００３０】
キャピラリー４０の下端が試料中に挿入されている状態で、サンプルトレイ１００Ａとカプラ４６の間に高電圧電源５０から高電圧を印加することにより、試料容器中の試料は、キャピラリー４０内に導入される。
【００３１】
キャピラリー４０の下端がバッファ中に挿入されている状態で、白金電極３３とカプラ４６の間に高電圧電源５０から高電圧を印加することにより、キャピラリー４０に導入されている試料は、電気泳動により分離される。
【００３２】
サンプルトレイ１００Ａの中の試料の分析が終了すると、上述したのと同様の手順で、サンプルトレイ１００Ｂ，１００Ｃ内の試料がキャピラリー４０に導入され、電気泳動分離される。
【００３３】
一つの試料の分析には、約２時間程度を要するため、図５に示すように、サンプルトレイホルダ３４上に、３個のサンプルトレイ１００Ａ,１００Ｂ,１００Ｃを設置することにより、約６時間の自動分析が可能となる。サンプルトレイの数は３個に限らず、さらに多くてもよい。
【００３４】
また、電気泳動分離された試料の光学的な検出方法としては、蛍光検出に限らず、吸光度検出などを用いることもできる。
【００３５】
次に、図６を用いて、本実施形態において用いる試料容器の構成について説明する。
【００３６】
図６は、本発明の一実施形態による電気泳動分析装置に用いる試料容器の配置を示す平面図である。
【００３７】
サンプルトレイ１００は、平面形状は矩形であり、４８個の円形の試料容器１００−１，１００−２，…，１００−４８が直線的に配置されている。サンプルトレイ１００は、上部のサンプルプレート１０２と、サンプルプレート１０２の下に固定された金属ベース１０４を備えている。サンプルプレート１０２は、透明なアクリル樹脂により形成されており、試料容器１００−１，１００−２，…，１００−４８を形成するための４８個の円形の開口が形成されている。サンプルプレート１０２の材質としては、他に、塩化ビニールやポリカーボン等の透明なプラスチック等を用いることができる。サンプルプレート１０２を透明な材質により形成することにより、試料容器１００−１，１００−２，…，１００−４８内に収容される試料や、試料内に挿入されるキャピラリーの状態を目視で容易に確認することができる。
【００３８】
サンプルプレート１０２は、８個のネジにより金属ベース１０４に固定されている。金属ベース１０４の材料としては、導電性材料であるＳＵＳを用いている。金属ベース１０４は、試料容器１００−１，１００−２，…，１００−４８の壁面の一部を形成しており、試料容器１００−１，１００−２，…，１００−４８内に収容される試料に対する共通な電極として用いられる。試料容器の一部を金属ベースとすることにより、従来のように、試料中に電極を挿入する必要はなくなる。金属ベース１０４の材料として、汎用性のある材料であるＳＵＳを用いても、充分な耐久性があることが実験的に確かめられている。金属ベース104としてＳＵＳを用い、サンプルトレイ１００を定期的に水洗いするだけで、６ヶ月以上の連続使用が可能であった。従来の電気泳動分析装置においては、電極材料としては、白金等の貴金属を用いていたため、装置が高価になっていたが、電極としてＳＵＳを用いることにより、試料容器を安価に構成することができる。
【００３９】
金属ベース１０４の両端には、円形の穴１０４Ａが形成されており、図１において説明したように、サンプルトレイ１００は、止めネジを用いて、金属性のサンプルトレイホルダに固定されて使用される。
【００４０】
なお、サンプルトレイ１００をサンプルトレイホルダに固定する方法としては、止めネジに限らず、板バネ等を用いることも可能である。
【００４１】
なお、金属ベース１０４の代わりに、絶縁性基板の上に、金属箔を形成したり、蒸着やスパッタリング等の方法により金属皮膜を形成しても、金属ベースと同様に用いることができる。このとき、金属箔若しくは金属皮膜は、試料容器の壁面の一部を形成し、試料容器内に収容される試料と電気的導通をとることにより、電極として使用できる。
【００４２】
サンプルプレート１０２と金属ベース１０４の間には、後述するように、試料容器内の試料が漏れるのを防止するため、パッキングが挿入されている。
【００４３】
サンプルプレート１０２の長さＬ１は、１６０mmとしている。サンプルプレート１０２に形成された試料容器１００−１の中心から試料容器１００−４８の中心までの距離Ｌ２は、１４１mmである。即ち、隣合う試料容器間のピッチＰは、３mmとしている。
【００４４】
隣合う試料容器間のピッチＰは、マイクロタイタープレートのピッチ（９mm）の整数分の１にしている。即ち、一般に、試料の準備にはマイクロタイタープレートが良く用いられている。マイクロタイタープレートから試料をピペッティングするピペットのピッチは、マイクロタイタープレートのピッチと等しくなっている。このピペットを用いて、マイクロタイタープレートから試料容器に試料をピペッティングする際、試料容器間のピッチＰを、マイクロタイタープレートのピッチ（９mm）の整数分の１、例えば、図６に示すように、整数分／１すなわち１／３とすることにより、既存のピペットを用いることができる。即ち、第１回目のピペッティングで、試料容器１００−１，１００−４，…，１００−４６というように、整数分／１の分母である３つ置きの試料容器内に試料を注入する。第２回目のピペッティングでは、ピペットを３mmだけずらして、試料容器１００−２，１００−５，…，１００−４７に試料を注入する。さらに、第３回目には、さらに、ピペットを３mmだけずらして、試料容器１００−３，１００−６,…,１００−４８に試料を注入する。このようにして、試料のピペッティングを３回に分ける必要はあるものの、既存のピペットを用いて、試料を試料容器に注入することができる。
【００４５】
試料容器間のピッチＰは、マイクロタイタープレートのピッチ（９mm）の整数分の１とし、使用する試料量と寸法を考慮すると、多くは、２分の１乃至４分の１が適当である。
【００４６】
図７は、電気泳動分析装置の主要部の構成及びその組み立ての状況を、ホットプレートが開放されている状況と共に示す。図８は、ホットプレートが閉じられている場合の状況を示す。これらの図において、台座９０は、縦板部９１と平面板部９２とから構成される。台座９０の縦板部９１上にはレーザ光線の照射口部材９３およびホットプレート９４が固着される。キャピラリー４０のシースフローセル側先端をカットし、キャピラリーのセル側先端をシースフローセル６０にセットする。これによってキャピラリー４０とシースフローセル６０の組み合わせが構成される。キャピラリー４０は図に示すようにセル側先端部は絞られて密集する構成とし、キャピラリー押さえ９５によって長手方向を一定に保持する。シースフローセル６０はシースフローセル台９６に固着してあり、フローセル台９６台座の縦板部９１に止め具９７によって止めることによってフローセル６０およびキャピラリー４０を台座９０にセットすなわち載置することができる。ホットプレート９４はキャピラリー４０を加温し、その温度をコントロールする。
【００４７】
シースフローセル６０、このシースフローセル６０に組み合わされたキャピラリー４０およびキャピラリーの温度コントロールを行うホットプレート９４のユニット並びにシースフローセル６０にレーザ光を照射するレーザ照射口部材９３から構成される一群の装置は一つの縦面上に配設される。その配設を容易にするために、台座９０すなわち台座９０の縦板部９１が利用される。
【００４８】
ホットプレート９４はヒンジ構成９８とされており、一方側から開放され得る。ホットプレート９４は、キャピラリー４０のほぼ全面を覆うことができる。
【００４９】
シースフローセル台９６上にはアース２００，シース液管からの管２０１が接続される管２０２，２０３が設けられる。また、シースフローセル６０には廃液ボトル６９へつながる管６７が接続される管２０４が設けられる。
【００５０】
テーブル１０は、その上に電極からなる台部２１０を備え、該台部２１０上にバッファ液タンク３３およびトレイホルダ３４が固着されることなく載置される。そして、トレイホルダ３４上にはサンプルトレイ１００が載置され、固着される。その固着方法については前述した。このようにして構成されたテーブル１０を含む一群の装置は、テーブル１０をスライドさせて台座９０の平面板部９２にセット、すなわち載置される。
【００５１】
並列した試料容器１００−１，…，１００−４８を具備するサンプルトレイ１００を複数個平面上に配設される。その配設を容易にするために、台座９０すなわち台座９０の平面板部９１が利用され、平面板部９１上にテーブル１０がスライド可能にして載置される。
【００５２】
以上のように、前述した２群の装置は９０゜配置でそれぞれが矩形をなす縦板部９１および平面板部９２内におさめられ、コンパクト化される。台座９０の一部についてもう少し詳しく説明すると図に示すように縦板部９１と平面板部９２は一体化した構成とされ、その接続部はコ状の収容部屋２０１が形成されている。この収容部屋２０１にはテーブル１０の一部が収容されることによってキャピラリー４０とバッファ液タンク３３との接続が１つの縦面上に配設され得るものとなっている。キャピラリー４０のサンプルトレイ側をカットと、その先端をバッファ液タンク３３に浸し、前述したようにシールフローセル台９６を縦板部９１に固定する。
【００５３】
図９は、装置ユニットの分解図である。図において、装置ユニットは、レーザ照射口部材９３およびホットプレート９４を固着した台座９０，シースフローセル６０を有するセル台９６とキャピラリー４０の組み合わせが台座９０に固着されることなく固定されてすばやい交換が可能とされる。平面側には、テーブル１０の上にバッファ液タンク３２，サンプルトレイ１００が固着されたトレイホルダ３４を載置している。テーブル１０は、平面板部９２にスライド可能に載置され、バッファ液タンク３２とトレイホルダ３４はテーブル１０上に固着されることなく固定されてすばやい交換が可能とされている。
【００５４】
すなわち、図５に示した機能を有する装置の主要部が図９に示すユニット化によってコンパクトに構成し、大きな使用頻度・交換頻度が要求されるシースフローセル６０（シースフローセル台９６）およびキャピラリー４０の組み合わせ体を縦板部９１に固着することなく固定載置し、トレイホルダ３４およびバッファ液タンク３２をテーブル１０上に固着することなく固定載置する構成にしたことに本実施例の１つの特徴がある。
【００５５】
次に、試料のサンプル番号の設定について説明する。
【００５６】
サンプルトレイの穴のピッチは、８連ピペットのピッチの１／３になっている。したがって、８連ピペットで３回の注入で２４サンプルの注入を行うことができる。
【００５７】
サーマルサイクラー用９６穴（８×１２）トレイから８連マイクロピペットでサンプルトレイにサンプルを注入するとき、サンプル番号は以下の項の１)−１,１)−２，２)−１，２)−２ のように、また１本ずつサンプルを注入するときは３)−１，３)−２のようにサンプル番号を対応させる。
【００５８】
「ユーザ指定番号」を使用する場合は、図１０において、および表１においてそれぞれのサンプル番号は（(下記の番号)＋(「レーン＃１のサンプル番号」）−１）となる。
【００５９】
【表１】
0004070301.tif 000002
【００６０】
１)−１  ８連ピペットで注入する場合（１）
−「番号付け」を「（Ａ１，Ｂ１，Ｃ１，…，Ｆ１，Ｇ１，Ｈ１）」「（Ａ７，Ｂ７，Ｃ７，…，Ｆ７，Ｇ７，Ｈ７）」に、「サンプル配列」を「Ａ１：１，Ｂ１：２，Ｃ１：３，…」に設定したとき９６サンプルを２回に分けて測定する。
【００６１】
Ａ１が左下になるように９６穴トレイを置く。
【００６２】
【表２】
0004070301.tif 000003
【００６３】
表２の▲１▼の列のサンプルを注入する場合、８連マイクロピペットは図１１の●の穴に合わせる。その他の列のサンプルを注入するときは、図１１の該当する番号の穴にピペットの左端を合わせる。
【００６４】
ファイル名は、サンプル名［固定部］の文字列の後に、次の番号が表３に示されるように付加される。
【００６５】
【表３】
0004070301.tif 000004
【００６６】
１)−２  ８連ピペットで注入する場合（２）
−「番号付け」を「（Ａ１，Ｂ１，Ｃ１，…，Ｆ１，Ｇ１，Ｈ１）」「（Ａ７，Ｂ７，Ｃ７，…，Ｆ７，Ｇ７，Ｈ７）」に、「サンプル配列」を「Ａ１：１，Ａ２：２，Ａ３：３，…」に設定したときサンプルトレイへの注入は１）−１と同様に行う。
【００６７】
ファイル名は、サンプル名［固定部］の文字列の後に、次の番号が表４に示されるように付加される。
【００６８】
【表４】
0004070301.tif 000005
【００６９】
２)−１  ８連ピペットで注入する場合（３）
−「番号付け」を「（Ｈ１，Ｇ１，Ｆ１，…，Ｃ１，Ｂ１，Ａ１）」「（Ｈ７，Ｇ７，Ｆ７，…，Ｃ７，Ｂ７，Ａ７）」に、「サンプル配列」を「Ａ１：１，Ｂ１：２，Ｃ１：３，…」に設定する場合９６サンプルを２回に分けて測定する。
【００７０】
Ａ１が右上になるように９６穴トレイを置く。
【００７１】
【表５】
0004070301.tif 000006
【００７２】
表５の■の列のサンプルを注入する場合、８連マイクロピペットは図１２の●の穴に合わせる。その他の列のサンプルを注入するときは、図１２の該当する番号の穴にピペットの左端を合わせる。
【００７３】
この時、ファイル名は、サンプル名［固定部］の文字列の後に、次の番号が表６に示されるように付加される。
【００７４】
【表６】
0004070301.tif 000007
【００７５】
２)−２  ８連ピペットで注入する場合（４）
−「番号付け」を「（Ｈ１，Ｇ１，Ｆ１，…，Ｃ１，Ｂ１，Ａ１）」「（Ｈ７，Ｇ７，Ｆ７，…，Ｃ７，Ｂ７，Ａ７）」に、「サンプル配列」を「Ａ１：１，Ａ２：２，Ａ３：３，…」に設定したときサンプルトレイへの注入は２）−１と同様に行う。
【００７６】
ファイル名は、サンプル名［固定部］の文字列の後に、次の番号が表７に示されるように付加される。
【００７７】
【表７】
0004070301.tif 000008
【００７８】
３)  １本ずつ注入するとき（１）
３)−１ 「番号付け」を「連続（０１〜４８）」に設定する場合
（「サンプル配列」はどちらを選択しても同じ番号が付加される）
サンプルトレイの左側のサンプルのデータから順に０１，０２，…４７，４８となる。
【００７９】
３)−２ 「番号付け」を「連続（４９〜９６）」に設定する場合
（「サンプル配列」はどちらを選択しても同じ番号が付加される）
サンプルトレイの左側のサンプルのデータから順に４９，５０，…９５，９６となる。
【図面の簡単な説明】
【図１】全体構成概略図を示す。
【図２】図１の一部構成の概略図を示す。
【図３】本体の配置構成図（扉開放）を示す。
【図４】本体の配置構成図（扉閉鎖）を示す。
【図５】原理説明図を示す。
【図６】試料容器の配置を示す平面図である。
【図７】電気泳動分析装置の主要部構成（ホットプレート開放）を示す構成図である。
【図８】電気泳動分析装置の主要部構成（ホットプレート閉鎖）を示す構成図である。
【図９】装置ユニットの分解図を示す。
【図１０】画面入力装置の一つの図面図を示す。
【図１１】試料のサンプル番号設定図を示す。
【図１２】試料のサンプル番号設定図を示す。
【符号の説明】
１…レーザ部、２…ＤＮＡシーケンサ本体部、３…画面入出力装置、４…パソコン、５…キーボード、１１，１２…レーザ、１３…ミラー、１４…箱体、１５…試料収納室部、１６…試料室部、１７…試料扉、３０…テーブル、３２…バッファ液タンク、３４…サンプルトレイホルダ、４０…キャピラリー、４２，９５…キャピラリー押さえ、６０，９６…シースフローセル、６６…ドレインアダプタ、６７…ドレインチューブ、６９…ドレイン瓶、９０…台座、９１…縦板部、９２…平面板部、９３…レーザ光線照射部材、９４…ホットプレート、９７…止め具、１００…サンプルトレイ、１００−１…試料容器、１０２…サンプルプレート、２００…アース、２０１…シース液管、２０２，２０３，２０４…管、２１０…電極からなる台部。
【図１】
0004070301.tif 000009
【図２】
0004070301.tif 000010
【図３】
0004070301.tif 000011
【図４】
0004070301.tif 000012
【図５】
0004070301.tif 000013
【図６】
0004070301.tif 000014
【図７】
0004070301.tif 000015
【図８】
0004070301.tif 000016
【図９】
0004070301.tif 000017
【図１０】
0004070301.tif 000018
【図１１】
0004070301.tif 000019
【図１２】
0004070301.tif 000020